(57)【要約】【課題】従来の開封構造とは異なる開封構造を備え破断が容易で安価な製造が可能な袋容器を提供する。【解決手段】２枚のフィルムの周縁をシールし本体し、両フィルム中央の非シール部分に内容物収容部６を形成し、上側隅部近傍に内容物収容部６に連通し幅狭に形成された流出路７が形成された袋容器１において、本体の左右側辺の側辺シール部２に切込み状に形成されたノッチ部８と、本体の上縁に沿ってシールされた部分であって、少なくとも、側辺シール部２に流出路７を挟んで対向する部分が幅広に形成された上部シール部４と、上部シール部４のノッチ部８に対向する位置から、上部シール部４内部に向かって幅狭細長の非シール部分として形成された切取案内非シール部９を備えた。ノッチ部８から切取案内非シール部９に向かって手で破断することで、容易に破断することができる。【選択図】図１
2013136414.tif 000002
【特許請求の範囲】
【請求項１】
表裏２枚のフィルムを重ね合わせその周縁をシールして本体となし、前記両フィルム中央の非シール部分に袋状の密閉空間たる内容物収容部を形成し、前記本体の上側隅部近傍に前記内容物収容部に連通し且つ前記内容物収容部より幅狭に形成された非シール部分たる流出路が形成された袋容器であって、
前記本体の左右側辺のシール部分たる側辺シール部のうち、前記流出路が形成された側の側辺シール部に切込み状に形成されたノッチ部と、
前記本体の上縁に沿ってシールされた部分であって、少なくとも、前記側辺シール部に前記流出路を挟んで対向する部分が幅広に形成された上部シール部と、
前記上部シール部の前記ノッチ部に対向する位置から、前記上部シール部の内部に向かって幅狭細長の非シール部分として形成された切取案内非シール部と、
を備えたことを特徴とする袋容器。
【発明の詳細な説明】
【技術分野】
【０００１】
本発明は、飲料用のパウチ等として使用される袋容器に関し、特に、包装された内容物を抽出する際の開封時に、予定の開封線に沿った破断が容易な袋容器に関する。
【背景技術】
【０００２】
飲料用や食品の袋容器として、フィルム製のパウチが広く使用されている。一般に、パウチは、表裏２枚のフィルムを重ね合わせその周縁をシールして本体となし、両フィルム中央の非シール部分に袋状の密閉空間たる内容物収容部を形成した構造を備えている。このようなパウチは、開封時に使用者がパウチ上部を手で破断して内容物を取り出す。従って、容器の機能として、破断時に、意図された開封線に沿って正しく破断される開封構造が必要とされる。
【０００３】
斯かる袋容器の開封構造としては、例えば、特許文献１〜８が公知である。特許文献１〜４には、開封線に沿ってミシン目を設けた袋容器の開封構造が記載されている。特許文献３〜７には、開封線に沿ってハーフカットを設けた袋容器の開封構造が記載されている。また、特許文献８には、開封線に沿って、袋容器内の収容部から外方向に向け凸形状をした曲線状の易開封加工部を設けた袋容器の開封構造が記載されている。
【０００４】
また、特許文献１では、ミシン目に加え、開封線に沿ったシール部分に切れ目を設け、破断時により確実に切断方向がずれないように工夫がされている。
【先行技術文献】
【特許文献】
【０００５】
【特許文献１】実開昭５９−１２６９４５号公報
【特許文献２】実用新案登録第３１５８１２８号公報
【特許文献３】特開２００７−１３１３０９号公報
【特許文献４】特開２００８−１８９９１号公報
【特許文献５】特開２００６−２７３３３８号公報
【特許文献６】特開２００６−２７３３３９号公報
【特許文献７】特開２０１１−２５５９４７号公報
【特許文献８】特開２００８−１３１８４号公報
【発明の概要】
【発明が解決しようとする課題】
【０００６】
本発明の目的は、上述のような従来の開封構造とは異なる開封構造を備え、破断が容易で安価な製造が可能な袋容器を提供することにある。
【課題を解決するための手段】
【０００７】
本発明に係る袋容器は、表裏２枚のフィルムを重ね合わせその周縁をシールして本体となし、前記両フィルム中央の非シール部分に袋状の密閉空間たる内容物収容部を形成し、前記本体の上側隅部近傍に前記内容物収容部に連通し且つ前記内容物収容部より幅狭に形成された非シール部分たる流出路が形成された袋容器であって、
前記本体の左右側辺のシール部分たる側辺シール部のうち、前記流出路が形成された側の側辺シール部に切込み状に形成されたノッチ部と、
前記本体の上縁に沿ってシールされた部分であって、少なくとも、前記側辺シール部に前記流出路を挟んで対向する部分が幅広に形成された上部シール部と、
前記上部シール部の前記ノッチ部に対向する位置から、前記上部シール部の内部に向かって幅狭細長の非シール部分として形成された切取案内非シール部と、
を備えたことを特徴とする。
【０００８】
この構成により、袋容器を開封するとき、ノッチ部から切取案内非シール部に向かって手で破断することで、両フィルムはノッチ部から切取案内非シール部の経路に沿って裂け、容易に破断することができる。また、表裏２枚のフィルム以外の部品を必要とせず、プレス形成で容易に製造可能なため、安価に製造することができる。
【発明の効果】
【０００９】
本発明によれば、上部シール部のノッチ部に対向する位置から、上部シール部の内部に向かって幅狭細長の非シール部分として形成された切取案内非シール部を構成したことにより、切取案内非シール部に沿って容易に破断することができ、かつ安価に製造することができる。
【図面の簡単な説明】
【００１０】
【図１】本発明の実施例１に係る袋容器の斜視平面図である。
【図２】図１の袋容器を開封した状態を表す斜視平面図である。
【図３】本発明の実施例２に係る袋容器の斜視平面図である。
【図４】本発明の実施例３に係る袋容器の斜視平面図である。
【図５】本発明の実施例４に係る袋容器の斜視平面図である。
【図６】本発明の実施例５に係る袋容器の平面図である。
【図７】本発明の実施例５に係る袋容器の斜視図である。
【図８】本発明の実施例６に係る袋容器の平面図である。
【図９】本発明の実施例７に係る袋容器の平面図である。
【図１０】本発明の実施例８に係る袋容器の平面図である。
【図１１】本発明の実施例８に係る袋容器の他の形態の平面図である。
【図１２】本発明の実施例９に係る袋容器の平面図である。
【図１３】本発明の実施例１０に係る袋容器の平面図である。（ａ）は全体図、（ｂ）は、（ａ）の点線Ａで囲まれた部分の拡大図である。
【図１４】本発明の実施例１１に係る袋容器の平面図である。
【図１５】図１４の袋容器の開封時の状態を表す図である。
【発明を実施するための形態】
【００１１】
以下、本発明を実施するための形態について、図面を参照しながら説明する。
【実施例１】
【００１２】
図１は、本発明の実施例１に係る袋容器の斜視平面図である。図１において、袋容器１の本体は、表裏２枚のフィルムを重ね合わせその周縁をシールすることにより構成された飲料用のパウチである。以下、袋容器１の左右側辺のシール部分を側辺シール部２，３、上側辺のシール部分を上部シール部４、下側辺のシール部分を下部シール部５と呼ぶ。
【００１３】
両フィルムの中央の非シール部分には、袋状の密閉空間たる内容物収容部６が形成されている。本体１の上側隅部近傍には、内容物収容部６に連通し且つ内容物収容部６より幅狭に形成された非シール部分たる流出路７が形成されている。
【００１４】
本実施例で想定する内容物収容部６の容量は、５０ｍｌ〜２０００ｍｌ程度である。表裏のフィルムは、合成樹脂（ＰＥ（ポリエチレン）、ＰＥＴ（ポリエチレン・テレフタレート）、ＰＶＣ（ポリ塩化ビニル）、ＰＭＭＡ（ポリメタクリル酸メチル）、ＰＰ（ポリプロピレン）、ＰＡ（ナイロン）、ＰＳ（ポリスチレン）、ＰＭＰ（ポリメチルペンテン）、ＰＶＤＣ（ポリ塩化ビニリデン）、ＰＣ（ポリカーボネート）等）から選ばれた単層又は多層のシートや、合成樹脂加工アルミ箔、合成樹脂加工紙のシートを用いることができる。例えば、多層の合成樹脂シートや、合成樹脂加工アルミ箔や、合成樹脂加工紙の周囲を溶着して作成した、三方袋又はスタンディングパウチとすることができる。
【００１５】
本体１の流出路７が形成された側の側辺シール部２には、切込み状にノッチ部８が形成されている。ノッチ部８は、Ｖノッチとされ、解放端側の角部が円弧状に角取りされている。
【００１６】
上部シール部４は、流出路７を挟んで側辺シール部２に対向する部分が幅広に形成されている。この上部シール部４の幅広の部分を、ランドシール部４ａと呼ぶ。
【００１７】
ランドシール部４ａのノッチ部８に対向する端位置から、ランドシール部４ａの内部に向かって、幅狭細長の非シール部分が形成されており、この非シール部分を切取案内非シール部９と呼ぶ。切取案内非シール部９は、仮想の開封線（「仮想開封線１０」という。）に沿って形成されており、本実施例では、切取案内非シール部９は、横向きから下向きに弧状に曲がった形状に形成されている。切取案内非シール部９の幅は０．５〜１０ｍｍとされ、フィルム破断時に、破断方向が仮想開封線１０から逸れることがないように案内する役割を果たす。即ち、切取案内非シール部９は表裏のフィルムが溶着されていないため、溶着されたランドシール部４ａよりも強度が弱い。従って、ノッチ部８から切取案内非シール部９に向けて破断したときに、ランドシール部４ａが破断するよりも弱い切取案内非シール部９に沿って破断される。
【００１８】
尚、袋容器１内に内容物を封入する前は、図１の斜線を付したシール部分のうち、上部シール部４のランドシール部４ａ以外の区間（以下「注入後シール部４ｂ」という。）は溶着せず開放状態としておく。そして、この注入後シール部４ｂから内容物収容部６に内容物（飲料）を注入した後、注入後シール部４ｂを溶着して密封する。これにより、内容物を袋容器１内に封入することができる。
【００１９】
図２は、図１の袋容器を開封した状態を表す斜視平面図である。図２は、袋容器１を仮想開封線１０に沿って破断し、折曲線１１（図１参照）に沿って折り曲げた状態を表している。このように折り曲げることにより、流出路７が上部に突出した状態となるため、この突出した部分を口に咥えて、袋容器１内に収容された飲料を飲むことができる（流出路７から吸い出すか、袋容器１を手で押圧して飲料を流出路７に押し出して飲むことができる）。
【００２０】
流出路７の長さは、飲みやすさの観点から５ｍｍ〜５０ｍｍとするのがよい。
【００２１】
ノッチ部８は、解放端側の角部が円弧状に角取りされているため、突出した部分を口に咥えた時に、ノッチ部８の角で口を切る事故を防止することができる。すなわち、通常のＶノッチ（面取りのされていないＶノッチ）、線ノッチ、Ｕノッチ、五角形将棋の駒形ノッチだと、角が立ち、飲み口として唇を切る心配が生じるが、丸く角取りされたＶノッチの形態とすることで、飲み口が丸くなり、安全性が高まる。
【００２２】
尚、より破断を容易とするために、切取案内非シール部９に沿ってハーフカット線を併せて設けてもよい。
【実施例２】
【００２３】
図３は、本発明の実施例２に係る袋容器の斜視平面図である。本実施例の袋容器は、図１と比較すると、切取案内非シール部９ｂ及びノッチ部８ｂが追加されている点が相違している。切取案内非シール部９ｂは、切取案内非シール部９の先端部から袋容器１の側辺に平行に、袋容器１上辺付近まで上方に向かってランドシール部４ａ内に形成されている。ノッチ部８ｂは、袋容器１上辺の切取案内非シール部９ｂ上端に対向する位置に形成された切り欠きである。
【００２４】
この場合、まず切取案内非シール部９ｂに沿って破断し、その後切取案内非シール部９に沿って破断することで、実施例１の場合と同様に流出路７が上部に突出した状態とすることができるとともに、口に咥える際の邪魔となる袋容器１上角部を取り去ることができる。
【実施例３】
【００２５】
図４は、本発明の実施例３に係る袋容器の斜視平面図である。本実施例の袋容器は、図１と比較すると、切取案内非シール部９ｂ及びノッチ部８ｂが追加されている点と、切取案内非シール部９の代わりに、先端にＶノッチ状の非シール部分である切取案内非シール部９ｃを設けた点が相違している。
【００２６】
切取案内非シール部９ｂは、袋容器１の側辺に平行に、袋容器１上辺付近まで上方に向かってランドシール部４ａ内に形成されている。ノッチ部８ｂは、袋容器１上辺の切取案内非シール部９ｂ上端に対向する位置に形成された切り欠きである。切取案内非シール部９ｃは、ノッチ部８に対向する位置のランドシール部４ａ上（仮想開封線１０の先端付近の位置）に、Ｖノッチ状に形成されている。
【００２７】
この場合、まず切取案内非シール部９ｂに沿って破断し、その後、ノッチ部８から切取案内非シール部９ｃに向かってまっすぐ破断することで、実施例１の場合と同様に流出路７が上部に突出した状態とすることができるとともに、口に咥える際の邪魔となる袋容器１上角部を取り去ることができる。
【実施例４】
【００２８】
図５は、本発明の実施例４に係る袋容器の斜視平面図である。本実施例の袋容器は、図１と比較すると、ランドシール部４ａの横幅を広くした点と、切取案内非シール部９の代わりに切取案内非シール部９ｄを設けた点が相違している。
【００２９】
この場合、開封するには切取案内非シール部９ｄに沿ってまっすぐ破断すればよい。この場合には、破断後、流出路７部分は突出しないが、幅広く破断されるため、破断した部分を口に咥えて、袋容器内に収容された飲料を飲むことができる。
【００３０】
尚、この場合、切取案内非シール部９ｄの長さは、ランドシール部４ａを折り曲げて飲み易くする為にも、注入後シール部４ｂの充填口の広さを十分に確保する為にも、袋容器１の横幅の半分くらいとすることが好ましい。
【実施例５】
【００３１】
図６は、本発明の実施例５に係る袋容器の平面図である。図７は、本発明の実施例５に係る袋容器の斜視図である。本実施例の袋容器１は、基本的に実施例５のものと同様であるが、切取案内非シール部９ｄを曲線状に形成した点及びランドシール部４ａを袋容器１の略全幅まで広げた点が相違する。それ以外は、実施例４と同様である。
【００３２】
尚、図６，図７の上部シール部４の切取案内非シール部９ｄより下の部分であるランドシール部４ａの縦幅は、５ｍｍ〜５０ｍｍとするのが好ましい。流出路７の幅やランドシール部４ａの縦幅や、ランドシール部４ａの下辺の曲線形状を変えることで、注ぎ口や飲み口に圧力が生じて、注ぎ口や飲み口の量の流量の増減、勢いの増減をコントロールできる。
【実施例６】
【００３３】
図８は、本発明の実施例６に係る袋容器の平面図である。本実施例の袋容器１は、実施例４（図５）のものとほぼ同様であるが、流出路７の形状が実施例４とは相違している。本実施例における流出路７は、先端に向かって先細のなるように形成されており、これにより流出路７からの内容物の注出を容易にしている。特に、内容物がゲル状の飲料の場合には、流出路７を先端に向かって先細とすることによって、袋容器１から内容物を完全に吸い出すことが容易となる。
【実施例７】
【００３４】
図９は、本発明の実施例７に係る袋容器の平面図である。本実施例の袋容器１は、実施例６の袋容器（図８）に対して、新たに、ノッチ部８ｂを追加したものである。ノッチ部８ｂは、ノッチ部８と同様に、角取りしたＶノッチであり、上部シール部４の切取案内非シール部９ｄ先端の真上付近に形成されている。これにより、実施例２，３と同様、側辺シール部２に平行に仮想開封線１０ｂに沿って破断し、袋容器１の角部を完全に切り離すことができる。
【実施例８】
【００３５】
図１０は、本発明の実施例８に係る袋容器の平面図である。本実施例の袋容器１は、実施例７の袋容器（図９）を改良したものであり、流出路７を長くするとともに、切取案内非シール部９ｄの先端側部分を、上部シール部４のノッチ部８ｂに向かって曲折させたものである。これにより、ノッチ部８から仮想開封線１０に沿って破断し、ノッチ部８ｂから仮想開封線１０ｂに沿って破断することで、口に咥える際の邪魔となる袋容器１上角部を取り去ることができる。
【００３６】
尚、本実施例に於いて、図１１のように流出路７を更に細長くして、ストローのように内容物を吸い出せるように構成しても良い。
【実施例９】
【００３７】
図１２は、本発明の実施例９に係る袋容器の平面図である。本実施例の袋容器１は、実施例８の袋容器（図１１）をさらに改良し、切取案内非シール部９ｄを、ノッチ部８からノッチ部８ｂを結ぶ直線上にのるように構成したものである。この構成により、袋容器１の角部の破断が容易となる。
【実施例１０】
【００３８】
図１３は、本発明の実施例１０に係る袋容器の平面図である。図１３（ａ）は全体図、図１３（ｂ）は、図１３（ａ）の点線Ａで囲まれた部分の拡大図である。本実施例の袋容器１は、基本的には実施例３の袋容器（図４）をベースとしており、図４のノッチ部８ｂの代わりに、切込部８”を備えた構成としたものである。更に、切込部８”は、上部シール部４から側辺シール部２に平行な方向に切れ込み形成されており、また、切取案内非シール部９ｂと一直線上となるように配設されている。更に、切込部８”の内部には、切取案内非シール部９ｃに対向する部分に内部Ｖノッチ１４が形成され、また、切込部８”の先端（最奥部）の切取案内非シール部９ｂに対向する端には、内部Ｖノッチ１５が形成されている。切取案内非シール部９ｃの先端にも内部Ｖノッチ１４ａが形成されている。
【００３９】
本実施例では、切取案内非シール部９ｃの基点Ｐからランドシール部４ａの先端までの長さ（即ち、流出路７の長さ）は、５ｍｍ〜５０ｍｍ程度とされる。また、流出路７の先端部の幅Ｗ１や流出路７の長さ（点ＰＱ間の長さ）や辺ＰＱの角度を変えれば、流出路７の出口での内容物の表面張力、流速、流量が変わるため、これらのパラメータを調節することで、流出路７からの射出流量の増減又は射出の勢いの増減をコントロールすることができる。また、流出路７の長さが長いほど、開封後に容器袋１が倒れた際に、内容物の液体が溢れ難くなる。
【００４０】
本実施の袋容器１では、仮想開封線１０ｂに沿って破断した後、仮想開封線１０に沿って破断することで、流出路７の部分をストロー状（ノズル状）に切り離すことができ、内容物の吸い出しが容易となる。また、流出路７の部分をストロー状（ノズル状）に切り離すことで、ストロー機能を持たせることができるとともに、この部分を折り曲げれば、蓋（口栓）として用いることもできる。
【実施例１１】
【００４１】
図１４は、本発明の実施例１１に係る袋容器の平面図である。本実施例の袋容器１は、実施例４の袋容器（図５）をさらに改良したものである。本実施例の袋容器１では、上部シール部４の全体を幅広に形成し、切取案内非シール部９ｄを、流出路７と反対側の袋容器１側辺の近傍まで直線状に形成している。また、本実施例における切取案内非シール部９ｄは、袋容器１上辺に平行ではなく、流出路７の側から側辺シール部３に向けて袋容器１上辺から離れる向きに、袋容器１上辺に対し１０度程度傾斜している。
【００４２】
また、この切取案内非シール部９ｄの突端１６をＶ字状に側辺シール部３に切り込んだＶノッチ形状に形成したことで、側辺シール部３の溶着部分を容易に切り裂くことができる。
【００４３】
また、本実施例の袋容器１では、切取案内非シール部９ｄが袋容器１の略全幅に亘って設けられているため、内容物を内容物収容部６内に封入する際には、上部から注入するのは難しい。従って、本実施例の袋容器１では側辺から注入する。即ち、袋容器１内に内容物を封入する前は、図１４の斜線を付したシール部分のうち、側辺シール部２の中央付近の区間（以下「注入後シール部２ｂ」という。）は溶着せず開放状態としておく。そして、この注入後シール部２ｂから内容物収容部６に内容物（飲料）を注入した後、注入後シール部２ｂを溶着して密封する。これにより、内容物を袋容器１内に封入することができる。
【００４４】
このように、充填口（注入後シール部２ｂ）をサイドに配置したことで、袋容器１の全体の幅を狭くでき、片手で持ちやすくなる。さらに、縦長なので、商品陳列の際にも見栄えがよくなる。
【００４５】
図１５は、図１４の袋容器の開封時の状態を表す図である。開封する場合には、ノッチ部８から切取案内非シール部９ｄに向けて袋容器１の上辺側を手で引き裂き、上部シール部４の上辺側部分を図１５のように切り取る。この場合、完全に切り離してもよいが、後のゴミ処理を容易にするために、図１５のように側辺シール部３の側付近まで切り裂いて完全には切り離さない状態で止めることもできる。
【００４６】
本実施例の形態とした場合、（１）幅狭なので袋容器１を片手で持つことができる、（２）その際の持ち方が簡単である、（３）上部シール部４の上辺側部分を完全に切り離しておけば折り曲げて持っておく必要がなく、飲料を飲む際に該部分が鼻や頬に当たらない、（４）ノッチ部８を面取りしたＶノッチとしたことで、角が口にさわらないため、飲料を飲む際にノッチ部８の角が口に触っても痛くない、（５）開封時の切り方が、横に一直線なので簡単である、（６）特に、フィルムをバリアー製のナイロンとした場合、フィルムが厚くても、横軸一方向なら切りやすい、などの利点がある。
【産業上の利用可能性】
【００４７】
本発明は、飲用量の包装容器、特に、水、氷、氷菓、清涼飲料水、アルコール飲料、栄養飲料、ペット用の飲料などの容器袋として利用することができる。
【符号の説明】
【００４８】
１  袋容器
２，３  側辺シール部
４  上部シール部
４ａ  ランドシール部
２ｂ，４ｂ  注入後シール部
５  下部シール部
６  内容物収容部
７  流出路
８，８ｂ  ノッチ部
８”  切込部
９，９ｂ，９ｃ，９ｄ  切取案内非シール部
１０，１０ｂ  仮想開封線
１１  折曲線
１２  フック吊り下げ穴
１４，１４ａ，１５  内部Ｖノッチ
１６  突端
【図１】
2013136414.tif 000003
【図２】
2013136414.tif 000004
【図３】
2013136414.tif 000005
【図４】
2013136414.tif 000006
【図５】
2013136414.tif 000007
【図６】
2013136414.tif 000008
【図７】
2013136414.tif 000009
【図８】
2013136414.tif 000010
【図９】
2013136414.tif 000011
【図１０】
2013136414.tif 000012
【図１１】
2013136414.tif 000013
【図１２】
2013136414.tif 000014
【図１３】
2013136414.tif 000015
【図１４】
2013136414.tif 000016
【図１５】
2013136414.tif 000017